(57)【要約】      （修正有）【課題】施工する際に、ワイヤー受け部とレリースワイヤの接続をワンタッチにて取り付けることが出来、小さい部品が施工中に脱落したり紛失しないものであり、また、施工不良による脱落や作動不良がなく、使用後の経年変化による破損を防止し、槽体の排水流量の悪化とならない遠隔操作式排水栓装置。【解決手段】ワイヤー受け部６を、排水口２内周面に沿うように構成されるリング体６１、レリースワイヤ５を排水口２の適宜箇所に配置固定する軸受け部６２、軸受け部６２をリング体６１に支承するための支承部６４、リング体６１を排水口２に脱着自在に固定する取付部６５、から構成するとともに、レリースワイヤ５の排水口２側端部に係合部５３を構成し、当該係合部５３と係合する被係合部６３を軸受け部６２に構成して、レリースワイヤ５の端部とワイヤー受け部６を係合接続する。【選択図】図５
2010189866.tif 000002
【特許請求の範囲】
【請求項１】
槽体１の底面に開口した排水口２と、
排水口２に配置され、その上下動により排水口２を開閉する弁体３と、
弁体３の上下動を操作する操作部４と、
操作部４及び排水口２まで連絡して配置される操作部４の操作を弁体３に伝達するレリースワイヤ５と、
レリースワイヤ５の端部を排水口２内部に配置固定するためのワイヤー受け部６と、
から構成される遠隔操作式排水栓装置において、
前記ワイヤー受け部６を、排水口２内周面に沿うように構成されるリング体６１、レリースワイヤ５を排水口２の適宜箇所に配置固定する軸受け部６２、軸受け部６２をリング体６１に支承するための支承部６４、リング体６１を排水口２に脱着自在に固定する取付部６５、から構成するとともに、
レリースワイヤ５の排水口２側端部に係合部５３を構成し、
当該係合部５３と係合する被係合部６３を軸受け部６２に構成して、レリースワイヤ５の端部とワイヤー受け部６を係合接続することができることを特徴とする遠隔操作式排水栓装置。
【請求項２】
前記レリースワイヤ５の係合部５３を、レリースワイヤ５の排水口２側端部の外周に刻設した係合凹部５３ａとし、更にはワイヤー受け部６の被係合部６３を、軸受け部６２に構成した切り欠き状のスリット６３ａと、軸受け部６２内周面に構成した係合爪６３ｂにより構成したことを特徴とする前記請求項１に記載の遠隔操作式排水栓装置。
【請求項３】
前記レリースワイヤ５の係合部５３を、レリースワイヤ５の排水口２側端部の外周に刻設した係合凹部５３ａとし、更にはワイヤー受け部６の被係合部６３を、軸受け部６２に切り溝状に開口した切り溝部６３ｃ、及び上面視切り欠き部分７２を構成して切り溝部６３ｃ及び係合凹部５３ａにスライド自在に差し込まれるＣ字リング７から構成したことを特徴とする前記請求項１に記載の遠隔操作式排水栓装置。
【請求項４】
前記レリースワイヤ５の係合部５３を、レリースワイヤ５の排水口２側端部の外周に刻設した係合凹部５３ａとし、更にはワイヤー受け部６の被係合部６３を、軸受け部６２に構成した、外側方向に突出して構成される鍔部６３ｄ、及び上面視切り欠き部分７２を構成して鍔部６３ｄにスライド自在に差し込まれるＣ字リング７から構成したことを特徴とする前記請求項１に記載の遠隔操作式排水栓装置。
【請求項５】
前記Ｃ字リング７に、リブ状のＣ字リング７の側面方向の拡径を排水口２内周面に当接する事で防止する拡径防止翼７３を構成したことを特徴とする前記請求項３又は請求項４のいずれか一つに記載の遠隔操作式排水栓装置。
【請求項６】
前記レリースワイヤ５の上端面及びＣ字リング７の下端面に、外側方向に向かって傾斜するテーパ面５４・７１をそれぞれ構成したことを特徴とする前記請求項３乃至請求項５のいずれか一つに記載の遠隔操作式排水栓装置。
【請求項７】
前記拡径防止翼７３は、支承部６４の下方に配置されて、上面視は支承部６４によって遮蔽される位置に配置されることを特徴とする前記請求項３乃至請求項６のいずれか一つに記載の遠隔操作式排水栓装置。
【請求項８】
前記Ｃ字リング７の切り欠き部分７２の差し込み方向を位置決めする位置決め部６４ａを、前記支承部６４の下端から下方に向かって伸びる板体として構成したことを特徴とする前記請求項３乃至請求項７のいずれか一つに記載の遠隔操作式排水栓装置。
【請求項９】
前記リング体６１の下端もしくは支承部６４の下端に高低差を付けた段差を設けて回り止め部６４ｂを構成し、当該回り止め部６４ｂに拡径防止翼７３が当接することにより、各Ｃ字リング７が取付後にそれ以上回転しないよう構成したことを特徴とする前記請求項３乃至請求項８のいずれか一つに記載の遠隔操作式排水栓装置。
【発明の詳細な説明】
【技術分野】
【０００１】
本発明は、排水口の弁体をレリースワイヤによって遠隔操作するための装置に関し、特にレリースワイヤを排水口内部に配置固定する技術に関する。
【背景技術】
【０００２】
従来の遠隔操作式排水栓装置のワイヤー受け部は、レリースワイヤとワイヤー受け部の取付を、ネジ螺合による取付としたものがある（例えば、特許文献１参照。）。また、レリースワイヤとワイヤー受け部の取付を、レリースワイヤの端部に係合爪を備えたパーツを備えてワイヤー受け部にセット時Ｅ字リングを嵌め込み取付としたものがある。（例えば、特許文献２参照。）。また、レリースワイヤとワイヤー受け部の取付を、軸受け部に、弾性によって拡径し、軸受け部が拡径した状態でのみレリースワイヤの端部が挿通でき、拡径した箇所の周囲に被冠して、軸受け部の拡径を防止する、係止部材を備えて取り付けるものがある。（例えば、特許文献３参照。）また、レリースワイヤとワイヤー受け部の取付を、ワイヤー受けのリング体や軸受け部にスリット状の切り欠きを構成して、レリースワイヤの端部を挿入してワイヤー受け部を排水口にセットすれば、リング体のスリットが排水口に押圧されてレリースワイヤの端部が軸受け部に嵌合され取り付けるものがある。（例えば、特許文献４参照。）
【０００３】
以下、図１４に記載の従来の遠隔操作式排水栓装置について説明する。この従来例の遠隔操作式排水栓装置は、浴室の浴槽に施工取り付けされ、槽体としての浴槽、排水口、弁体、操作部、レリースワイヤ、ワイヤー受け部、から構成される。
浴槽は、箱体形状の槽体であり、底部に排水口を開口し、上縁部には操作部が構成される。
排水口は、浴槽の底部に構成される開口であって、本従来例では、外周面に雄ねじを有した筒状であって、上端部に外側に飛び出す鍔を構成する排水栓を備える。この排水栓は、内部に突状の係合用のリブを構成し、ワイヤー受け部の取付部と脱着自在に係合する。
弁体は、上下動することにより排水口を開閉する部材であり、弁体が上動した際は排水口が開口するので排水を行うことができ、弁体が下降した際は、弁体が排水口に着座して排水口が閉口し、浴槽内に貯水することが可能となる。また、弁体は止水用の軟質材からなるパッキンと、弁体裏面にはレリースワイヤの端部が直結され、レリースワイヤのインナーワイヤの進退に合わせて上下動する構成となっている。
操作部は、浴槽の上縁部に構成される押しボタンであり、使用者が操作部を押動することにより、排水口に配置されている弁体が上下動する構成となっている。操作部には、レリースワイヤのインナーワイヤの進退を保持する保持機構としてのスラストロック機構が構成されるとともに、保持機構を介してレリースワイヤの端部が接続されている。
レリースワイヤは、金属線の圧縮スプリング形状のインナーワイヤと、インナーワイヤを内部に進退自在に収納する四フッ化エチレンからなるアウターチューブと、常にインナーワイヤを操作部側に進行した状態にて付勢する戻りスプリングから構成される。また、レリースワイヤの一端は操作部に接続され、他端は排水口内部に配置接続される。インナーワイヤの排水口側端部は、弁体の上下動用ロッド部が構成されて、弁体の裏面に脱着自在に接続して構成される。また、アウターチューブの排水口側端部には、後記するネジ体が構成される。
ワイヤー受け部は、リング体、軸受け部、支承部、取付部、から構成され、レリースワイヤを排水口内中心部に配置する部材である。
リング体は、排水口の排水栓内周面に沿うように構成される環状の部材である。
軸受け部は、レリースワイヤを排水栓中心部に配置させる箱体の部材であり、内部に上下貫通するレリースワイヤを収納する空間を有し、その下端にはレリースワイヤを挿通する挿通孔を開口する。また挿通孔には雌ねじを構成する。
挿通孔には、レリースワイヤが内部に挿通する開口を有し、その外周に雄ねじを螺設したネジ体を構成する。
支承部は、軸受け部をリング体中央に支承するための構成要素であり、上面視リング体内周から中心方向に向かって延出し、リング体中心部分に軸受け部を配置・支承するアーム態様のものである。
取付部は、ワイヤー受け部を排水栓内部に脱着自在に、且つ強固に取り付けるための係合部分であって、リング体から下方に向かって延出する脚体である。尚、この取付部は前記した排水栓内周部の係合用のリブに強固に係合することで取り付けることが出来る。
【０００４】
上記した従来例の遠隔操作式排水栓装置は以下のように施工される。
浴槽には工場・現場にて浴槽の上縁部に予め操作部を取り付けている。その後、現場にて浴槽の排水口に排水栓を取付け、操作部と排水口管を内部が中空のチューブ管等で連結し、浴槽の排水口と下水管を接続する。そして、操作部からチューブ管を介してレリースワイヤを挿通し、レリースワイヤを排水口側まで挿通させる。浴槽の表側の排水口から、レリースワイヤの端部をペンチ等で引き出し、浴槽側からワイヤー受けの軸受け部の挿通孔にレリースワイヤの端部を挿通させ、ネジ体を軸受け部の挿通孔雌ねじに螺合させる。すると、レリースワイヤの排水口側端部はワイヤー受けの軸受け部にねじ接続される。その後、ワイヤー受けを排水栓内部に挿入して、ワイヤー受けの取付部を排水栓内部の係合用のリブに係合させることによりワイヤー受けは排水栓内部に取り付けられ、結果的にレリースワイヤが排水栓内部の中央に配置することが出来る。そして、弁体をレリースワイヤのロッド部に脱着自在に取り付けることにより、遠隔操作式排水栓装置の施工は終了する。
【０００５】
上記した従来例の遠隔操作式排水栓装置は以下のように作動し、排水される。
弁体が排水栓に着座時（弁体が下降時）に、操作部を押動すると、レリースワイヤのインナーワイヤがアウターチューブ内を進行し、インナーワイヤの排水口側端部のロッド部を介して弁体を押し上げる。そうすると、保持機構のスラストロックが作動し、インナーワイヤの進行を保持するため、インナーワイヤの端部に取り付けられた弁体もインナーワイヤの進行に合わせて上動して保持される。この状態において排水口は弁体が上昇して開口するので浴槽内の排水が下水側へと排水されることとなる。
この状態から操作部を更に押動すると、レリースワイヤのインナーワイヤが少し進行し、保持機構のスラストロックのロックが解除されて、ロックが解除されたインナーワイヤは戻りスプリングの付勢力により後退する。そうするとインナーワイヤの後退に合わせて弁体が下降し、排水栓に着座する。こうすることで排水口が閉口し、排水口を止水するため、浴槽内に水を貯水することができる。以後、この繰り返しにより弁体を上下動させて、浴槽内の排水を貯水／排水させることができる。
【０００６】
以下、上記とは別の従来例として図１５に記載の従来の遠隔操作式排水栓装置について説明する。この従来例の遠隔操作式排水栓装置のワイヤー受け部は、浴室の浴槽に施工取り付けされ、槽体としての浴槽、排水口、弁体、操作部、レリースワイヤ、ワイヤー受け部、から構成される。
本従来例の遠隔操作式排水栓装置は、前記従来例と同様の浴室の浴槽に施工取り付けされ、浴槽、弁体、操作部、は前記従来例と同様の構成のため省略する。
排水口は、浴槽の底部に構成される開口であって、本従来例では、外周面に雄ねじを有した筒状であって、上端部に外側に飛び出す鍔を構成する排水栓を備える。この排水栓は、内部に後記するワイヤー受け部を一体的に構成する。
レリースワイヤは、金属線の圧縮スプリング形状のインナーワイヤと、インナーワイヤを内部に進退自在に収納する四フッ化エチレンからなるアウターチューブと、常にインナーワイヤを操作部側に進行した状態にて付勢する戻りスプリングから構成される。また、レリースワイヤの一端は操作部に接続され、他端は排水口内部に配置接続される。インナーワイヤの排水口側端部は、弁体の上下動用ロッド部が構成されて、弁体の裏面に脱着自在に接続して構成される。また、アウターチューブの排水口側端部には、Ｅ字リングが嵌め込まれる係合部及び軸受け部に係合する係合爪が構成される。
ワイヤー受け部は、軸受け部、支承部、Ｅ字リング、から構成され、レリースワイヤを排水口内中心部に配置する部材である。
軸受け部は、レリースワイヤを排水栓中心部に配置させる部材であり、内部に上下貫通するレリースワイヤを収納する空間を有し、その下端にはレリースワイヤを挿通する挿通孔を開口する。また、軸受け部には、前記Ｅ字リングが嵌め込まれる係合部を構成している。
挿通孔には、レリースワイヤが内部に挿通する開口を有し、その外周に雄ねじを螺設したネジ体を構成する。
支承部は、軸受け部を排水栓に支承するための構成要素であり、上面視排水栓内周から中心方向に向かって一体的に延出し、リング体中心部分に軸受け部を配置・支承するアーム態様のものである。
【０００７】
上記した従来例の遠隔操作式排水栓装置は以下のように施工される。
浴槽には工場・現場にて浴槽の上縁部に予め操作部を取り付けている。その後、現場にて浴槽の排水口に排水栓を取付け、操作部と排水口管を内部が中空のチューブ管等で連結し、浴槽の排水口と下水管を接続する。そして、操作部からチューブ管を介してレリースワイヤを挿通し、レリースワイヤを排水口側まで挿通させる。浴槽の表側の排水口から、レリースワイヤの端部を排水栓内のワイヤー受け部の軸受け部の隙間からペンチ等で引き出し、軸受け部からレリースワイヤ端部を引き出したあとで再度軸受け部内にレリースワイヤの端部を挿入する。その後、再度軸受け部に、浴槽側の上方からレリースワイヤの端部を挿入する。そうすると、レリースワイヤの端部に構成されている係合爪が軸受け部に係止し、軸受け部にレリースワイヤの端部が配置される。その後、係止爪の係合が上方からの押し力（弁体に応力が加わったとき）により軸受け部からレリースワイヤ端部が脱落しないようにＥリングを軸受け部に嵌め込む。このようにすることで、レリースワイヤの端部が排水口内部に配置固定される。そして、弁体をレリースワイヤのロッド部に脱着自在に取り付けることにより、遠隔操作式排水栓装置の施工は終了する。
【０００８】
上記した従来例の遠隔操作式排水栓装置は、前記段落０００５と同様に作動し、排水される。
【０００９】
以下、上記とは別の従来例として図１６に記載の従来の遠隔操作式排水栓装置について説明する。この従来例の遠隔操作式排水栓装置のワイヤー受け部は、浴室の浴槽に施工取り付けされ、槽体としての浴槽、排水口、弁体、操作部、レリースワイヤ、ワイヤー受け部、から構成される。
本従来例の遠隔操作式排水栓装置は、前記従来例段落０００３と同様の浴室の浴槽に施工取り付けされ、浴槽、排水口、弁体、操作部、は前記従来例と同様の構成のため省略する。
レリースワイヤは、金属線の圧縮スプリング形状のインナーワイヤと、インナーワイヤを内部に進退自在に収納する四フッ化エチレンからなるアウターチューブと、常にインナーワイヤを操作部側に進行した状態にて付勢する戻りスプリングから構成される。また、レリースワイヤの一端は操作部に接続され、他端は排水口内部に配置接続される。インナーワイヤの排水口側端部は、弁体の上下動用ロッド部が構成されて、弁体の裏面に脱着自在に接続して構成される。また、アウターチューブの排水口側端部の外周には、突出して構成された係合爪を構成している。
ワイヤー受け部は、リング体、軸受け部、キャップ体、支承部、取付部、から構成され、レリースワイヤを排水口内中心部に配置する部材である。
リング体は、排水口の排水栓内周面に沿うように構成される環状の部材である。
軸受け部は、レリースワイヤを排水栓中心部に配置させる部材であり、内部に上下貫通するレリースワイヤを収納する空間を有し、その下端にはレリースワイヤを挿通する挿通孔を開口する。また、軸受け部には、レリースワイヤの係合爪が貫通するための切り欠きと、キャップ体と係合する係合爪が構成されている。
キャップ体は、軸受け部上端に被冠して軸受け部の拡径を防止するキャップであって、側面に、軸受け部の係合爪と係合する係合口を構成している。
支承部は、軸受け部をリング体中央に支承するための部材であり、上面視リング体内周から中心方向に向かって延出し、リング体中心部分に軸受け部を配置・支承するアーム態様のものである。
取付部は、ワイヤー受け部を排水栓内部に脱着自在に取り付けるための係合部分であって、リング体から下方に向かって延出する脚体である。尚、この取付部は前記した排水栓内周部の係合用のリブに強固に係合することで取り付けることが出来る。
【００１０】
上記した従来例の遠隔操作式排水栓装置は以下のように施工される。
浴槽には工場・現場にて浴槽の上縁部に予め操作部を取り付けている。その後、現場にて浴槽の排水口に排水栓を取付け、操作部と排水口管を内部が中空のチューブ管等で連結し、浴槽の排水口と下水管を接続する。そして、操作部からチューブ管を介してレリースワイヤを挿通し、レリースワイヤを排水口側まで挿通させる。浴槽の表側の排水口から、レリースワイヤの端部をペンチ等で引き出し、浴槽側からワイヤー受けの軸受け部の挿通孔にレリースワイヤの端部を挿通、配置させ、レリースワイヤの係合爪を軸受け部に係合させ、キャップ体をワイヤー受け部の軸受け部上方に被冠させる。そしてキャップ体の係合口を、軸受け部の係合爪に係合させて、レリースワイヤとワイヤー受け部の接続は終了する。その後、ワイヤー受けを排水栓内部に挿入し、ワイヤー受けの取付部を排水栓内部の係合用のリブに係合させることによりワイヤー受け部は排水栓内部に取り付けられ、結果的にレリースワイヤが排水栓内部の中央に配置することが出来る。そして、弁体をレリースワイヤのロッド部に脱着自在に取り付けることにより、遠隔操作式排水栓装置の施工は終了する。
【００１１】
上記した従来例の遠隔操作式排水栓装置は、前記段落０００５と同様に作動し、排水される。
【００１２】
以下、上記とは別の従来例として図１７に記載の従来の遠隔操作式排水栓装置について説明する。この従来例の遠隔操作式排水栓装置は、浴室の浴槽に施工取り付けされ、槽体としての浴槽、排水口、弁体、操作部、レリースワイヤ、ワイヤー受け部、から構成される。
本従来例の遠隔操作式排水栓装置は、前記従来例段落０００３と同様の浴室の浴槽に施工取り付けされ、浴槽、排水口、弁体、操作部、は前記従来例と同様の構成のため省略する。
レリースワイヤは、金属線の圧縮スプリング形状のインナーワイヤと、インナーワイヤを内部に進退自在に収納する四フッ化エチレンからなるアウターチューブと、常にインナーワイヤを操作部側に進行した状態にて付勢する戻りスプリングから構成される。また、レリースワイヤの一端は操作部に接続され、他端は排水口内部に配置接続される。インナーワイヤの排水口側端部は、弁体の上下動用ロッド部が構成されて、弁体の裏面に脱着自在に接続して構成される。また、アウターチューブの排水口側端部は、軸受け部内に配置接続される。
ワイヤー受け部は、リング体、軸受け部、支承部、取付部、から構成され、レリースワイヤを排水口内中心部に配置する部材である。
リング体は、排水口の排水栓内周面に沿うように構成される環状の部材である。リング体には、スリット状の切り欠きが複数構成されている。
軸受け部は、レリースワイヤを排水栓中心部に配置させる部材であり、内部に上下貫通するレリースワイヤを収納する空間を有し、その下端にはレリースワイヤを挿通する挿通孔を開口する。また、軸受け部にも、切り欠き状のスリットが構成される。
支承部は、軸受け部をリング体に支承するための構成要素であり、上面視リング体内周から中心方向に向かって延出し、リング体中心部分に軸受け部を配置・支承するアーム態様のものである。
取付部は、ワイヤー受け部を排水栓内部に脱着自在に取り付けるための係合部分であって、リング体から下方に向かって延出する脚体である。尚、この取付部は前記した排水栓内周部の係合用のリブに強固に係合することで取り付けることが出来る。
【００１３】
上記した従来例の遠隔操作式排水栓装置は以下のように施工される。
浴槽には工場・現場にて浴槽の上縁部に予め操作部を取り付けている。その後、現場にて浴槽の排水口に排水栓を取付け、操作部と排水口管を内部が中空のチューブ管等で連結し、浴槽の排水口と下水管を接続する。そして、操作部からチューブ管を介してレリースワイヤを挿通し、レリースワイヤを排水口側まで挿通させる。浴槽の表側の排水口から、レリースワイヤの端部をペンチ等で引き出し、浴槽側からワイヤー受け部の軸受け部の挿通孔にレリースワイヤの端部を挿通させ、その状態のままワイヤー受け部を排水栓内部に挿入し、ワイヤー受け部の取付部を排水栓内部の係合用のリブに係合させる。このことにより、リング体が排水栓に当接し、リング体の外周面から内周面にむかう応力がリング体に加わり、切り欠き状のスリット分縮径することとなる。そうすると、リング体に支承部により死傷されている軸受け部もリング体の縮径分軸受け部のスリット状切り欠きが縮径するため、レリースワイヤの軸受け部内部にレリースワイヤが取付られることとなり、結果的にレリースワイヤが排水栓内部の中央に配置することが出来る。そして、弁体をレリースワイヤのロッド部に脱着自在に取り付けることにより、遠隔操作式排水栓装置の施工は終了する。
【００１４】
上記した従来例の遠隔操作式排水栓装置は、前記段落０００５と同様に作動し、排水される。
【先行技術文献】
【特許文献】
【００１５】
【特許文献１】特開２０００−３０３５２９号公報
【特許文献２】特開平１０−１２１５３７号公報
【特許文献３】特開２００４−０１９１１２号公報
【特許文献４】特開２００７−０４６２７４号公報
【発明の概要】
【発明が解決しようとする課題】
【００１６】
前記段落０００３乃至０００５に記載の従来例においては、施工時の排水口からのレリースワイヤを取り出すが、この時排水口からレリースワイヤの飛び出しは非常に短く、ワイヤー受け部の軸受け部とレリースワイヤの接続は施工者にとっては非常に苦慮することとなる。更に当従来例では、排水口からレリースワイヤの飛び出し代が短いにもかかわらず、さらにネジ体によってレリースワイヤの端部とワイヤー受け部の軸受け部とをネジ螺合による回転接続を行う必要があり、施工者にとっては非常に施工しづらかった。また、このような作業は全て狭い浴槽内において行う必要があるので、更に施工しづらく、最悪の場合には施工の際にレリースワイヤを過度に引っ張るなどして、レリースワイヤの挫屈等が発生することがあった。
また、前記段落０００６乃至０００８に記載の従来例においては、排水口内の軸受け部からレリースワイヤの端部を一端引き出し、更に軸受け部に差し込んでからＥ字リングを軸受け部に取りつけ、抜け止めを行うため、施工時に手間が多く、更にＥ字リングを施工現場に置いて取り付けるため、Ｅ字リングを現場で紛失するおそれがあった。このＥ字リングはとても小さな部品であり、紛失してしまうと見つかる可能性が低い上、排水口内部に落下させたりすれば、再度浴槽を取り外して排水口部分を解体しなければ取り出すことが出来なかった。また、この従来例においても施工時の排水口からのレリースワイヤを取り出すが、この時排水口からレリースワイヤの飛び出しは非常に短く、ワイヤー受け部の軸受け部とレリースワイヤの接続は施工者にとっては非常に苦慮することとなる。更に当従来例では、排水口からレリースワイヤの飛び出し代が短いにもかかわらず、さらにレリースワイヤと軸受け部を接続しなければならない。従って施工者にとっては非常に施工しづらかった。また、このような作業は全て狭い浴槽内において行う必要があるので、更に施工しづらく、最悪の場合には施工の際にレリースワイヤを過度に引っ張るなどして、レリースワイヤの挫屈等が発生することがあった。
また、前記段落０００９乃至００１１に記載の従来例においては、排水口内の軸受け部からレリースワイヤの端部を一端引き出し、レリースワイヤとワイヤー受け部を接続するが、レリースワイヤの端部を軸受け部に差し込んでからキャップ体を軸受け部に被冠させ、両者の抜け止めを行うため、施工時に手間が多い上、キャップ体を施工現場にて取り付けるため、キャップ体を現場で紛失するおそれがあった。このキャップ体はとても小さな部品であり、紛失してしまうと見つかる可能性が低い上、排水口内部に落下させたりすれば、再度浴槽を取り外して排水口部分を解体しなければ取り出すことが出来なかった。また、本従来例においては、キャップ体と軸受け部、レリースワイヤと軸受け部の係合は係合爪と係合口による係合接続であるが、係合爪の弾性が弱かったり、施工者がきちんとキャップ体が軸受け部に被冠したか確認しなかったりするなどして、レリースワイヤの係合爪とキャップ体がちゃんと係合されないこともあり、このような場合においてはきちんとレリースワイヤが排水口の中心部に配置固定されていないことと同一であるから、使用者が使用中にレリースワイヤが排水口内部に脱落したり、正常に弁体が開閉できない、といった不具合が生じていた。
前記段落００１２乃至００１４に記載の従来例においては、ワイヤー受け部と軸受け部のスリット状の切り欠きを、セット時の応力により取り付ける方法であるから、常に支承部や軸受け部に中心方向に向かう応力が加わることとなる。このような場合、排水中の洗剤等の薬品や、使用者の使用中に弁体やワイヤー受け部に加わる応力により、経年変化によってワイヤー受け部が破損することがあった。また、応力によって取り付けるため、施工する際に、力を加える必要があり、非常に施工しづらかった。
【００１７】
以上から、本発明の遠隔操作式排水栓装置のワイヤー受け部は以下の課題を解決することを目的とする。
１．施工する際に、ワイヤー受け部とレリースワイヤの接続をワンタッチにて取り付けることが出来る。
２．小さい部品が施工中に脱落したり紛失しないものであること。
３．施工不良による脱落や作動不良がないこと。
４．使用後の経年変化による破損を防止する。
５．槽体の排水流量の悪化とならないものであること。
【課題を解決するための手段】
【００１８】
本発明の請求項１に記載の遠隔操作式排水栓装置は、槽体１の底面に開口した排水口２と、排水口２に配置され、その上下動により排水口２を開閉する弁体３と、弁体３の上下動を操作する操作部４と、操作部４及び排水口２まで連絡して配置される操作部４の操作を弁体３に伝達するレリースワイヤ５と、レリースワイヤ５の端部を排水口２内部に配置固定するためのワイヤー受け部６と、から構成される遠隔操作式排水栓装置において、前記ワイヤー受け部６を、排水口２内周面に沿うように構成されるリング体６１、レリースワイヤ５を排水口２の適宜箇所に配置固定する軸受け部６２、軸受け部６２をリング体６１に支承するための支承部６４、リング体６１を排水口２に脱着自在に固定する取付部６５、から構成するとともに、レリースワイヤ５の排水口２側端部に係合部５３を構成し、当該係合部５３と係合する被係合部６３を軸受け部６２に構成して、レリースワイヤ５の端部とワイヤー受け部６を係合接続することができることを特徴とする遠隔操作式排水栓装置である。
【００１９】
本発明の請求項２に記載の遠隔操作式排水栓装置は、前記レリースワイヤ５の係合部５３を、レリースワイヤ５の排水口２側端部の外周に刻設した係合凹部５３ａとし、更にはワイヤー受け部６の被係合部６３を、軸受け部６２に構成した切り欠き状のスリット６３ａと、軸受け部６２内周面に構成した係合爪６３ｂにより構成したことを特徴とする前記段落００１８に記載の遠隔操作式排水栓装置である。
【００２０】
本発明の請求項３に記載の遠隔操作式排水栓装置は、前記レリースワイヤ５の係合部５３を、レリースワイヤ５の排水口２側端部の外周に刻設した係合凹部５３ａとし、更にはワイヤー受け部６の被係合部６３を、軸受け部６２に切り溝状に開口した切り溝部６３ｃ、及び上面視切り欠き部分７２を構成して切り溝部６３ｃ及び係合凹部５３ａにスライド自在に差し込まれるＣ字リング７から構成したことを特徴とする前記段落００１８に記載の遠隔操作式排水栓装置である。
【００２１】
本発明の請求項４に記載の遠隔操作式排水栓装置は、前記レリースワイヤ５の係合部５３を、レリースワイヤ５の排水口２側端部の外周に刻設した係合凹部５３ａとし、更にはワイヤー受け部６の被係合部６３を、軸受け部６２に構成した、外側方向に突出して構成される鍔部６３ｄ、及び上面視切り欠き部分７２を構成して鍔部６３ｄにスライド自在に差し込まれるＣ字リング７から構成したことを特徴とする前記段落００１８に記載の遠隔操作式排水栓装置である。
【００２２】
本発明の請求項５に記載の遠隔操作式排水栓装置は、前記Ｃ字リング７に、リブ状のＣ字リング７の側面方向の拡径を排水口２内周面に当接する事で防止する拡径防止翼７３を構成したことを特徴とする前記段落００２０又は段落００２１のいずれか一つに記載の遠隔操作式排水栓装置である。
【００２３】
本発明の請求項６に記載の遠隔操作式排水栓装置は、前記レリースワイヤ５の上端面及びＣ字リング７の下端面に、外側方向に向かって傾斜するテーパ面５４・７１をそれぞれ構成したことを特徴とする前記段落００２０乃至段落００２２のいずれか一つに記載の遠隔操作式排水栓装置である。
【００２４】
本発明の請求項７に記載の遠隔操作式排水栓装置は、前記拡径防止翼７３は、支承部６４の下方に配置されて、上面視は支承部６４によって遮蔽される位置に配置されることを特徴とする前記段落００２０乃至段落００２３のいずれか一つに記載の遠隔操作式排水栓装置である。
【００２５】
本発明の請求項８に記載の遠隔操作式排水栓装置は、前記Ｃ字リング７の切り欠き部分７２の差し込み方向を位置決めする位置決め部６４ａを、前記支承部６４の下端から下方に向かって伸びる板体として構成したことを特徴とする前記段落００２０乃至段落００２４のいずれか一つに記載の遠隔操作式排水栓装置である。
【００２６】
本発明の請求項９に記載の遠隔操作式排水栓装置は、前記リング体６１の下端もしくは支承部６４の下端に高低差を付けた段差を設けて回り止め部６４ｂを構成し、当該回り止め部６４ｂに拡径防止翼７３が当接することにより、各Ｃ字リング７が取付後にそれ以上回転しないよう構成したことを特徴とする前記段落００２０乃至段落００２５のいずれか一つに記載の遠隔操作式排水栓装置である。
【発明の効果】
【００２７】
請求項１に記載の本発明は、ワイヤー受け部６を、排水口２内周面に沿うように構成されるリング体６１、レリースワイヤ５を排水口２の適宜箇所に配置固定する軸受け部６２、軸受け部６２をリング体６１に支承するための支承部６４、リング体６１を排水口２に脱着自在に固定する取付部６５、から構成するとともに、レリースワイヤ５の排水口２側端部に係合部５３を構成し、当該係合部５３と係合する被係合部６３を軸受け部６２に構成して、レリースワイヤ５の端部とワイヤー受け部６を係合接続することにより、レリースワイヤとワイヤー受け部６の接続をワンタッチにて取り付けることが出来る。従って施工が簡単となる。
請求項２に記載の本発明は、レリースワイヤ５の係合部５３を、レリースワイヤ５の排水口２側端部の外周に刻設した係合凹部５３ａとし、更にはワイヤー受け部６の被係合部６３を、軸受け部６２に構成した切り欠き状のスリット６３ａと、軸受け部６２内周面に構成した係合爪６３ｂにより構成したことにより、従来のワイヤー受け部６と比較して部材点数を少なく構成することができる。
請求項３に記載の本発明は、レリースワイヤ５の係合部５３を、レリースワイヤ５の排水口２側端部の外周に刻設した係合凹部５３ａとし、更にはワイヤー受け部６の被係合部６３を、軸受け部６２に切り溝状に開口した切り溝部６３ｃ、及び上面視切り欠き部分７２を構成して切り溝部６３ｃ及び係合凹部５３ａにスライド自在に差し込まれるＣ字リング７から構成したことから、レリースワイヤ５と軸受け部６２の接続をＣ字リング７の係止によって行うことが出来る。従って、係止爪による接続ではないので、誤って接続されるようなことはない。従って、施工後のレリースワイヤ５の脱落など発生しない。また、常に応力が加わりながらの接続ではないので、経年変化の影響を受けにくく、使用後の破損の危険性が低くなる。
請求項４に記載の本発明は、レリースワイヤ５の係合部５３を、レリースワイヤ５の排水口２側端部の外周に刻設した係合凹部５３ａとし、更にはワイヤー受け部６の被係合部６３を、軸受け部６２に構成した、外側方向に突出して構成される鍔部６３ｄ、及び上面視切り欠き部分７２を構成して鍔部６３ｄにスライド自在に差し込まれるＣ字リング７から構成したことから、レリースワイヤ５と軸受け部６２の接続をＣ字リング７の係止によって行うことが出来る。従って、係止爪による接続ではないので、誤って誤接続されるようなことはない。従って、施工後のレリースワイヤ５の脱落など発生しない。
請求項５に記載の本発明は、Ｃ字リング７に、リブ状のＣ字リング７の側面方向の拡径を排水口２内周面に当接する事で防止する拡径防止翼７３を構成したことから、ワイヤー受け部６を排水口２内部にセットさせると、拡径防止翼７３の側面が排水口２内周面に当接する事により、Ｃ字リング７がそれ以上拡径しない。従って、施工後の応力によりレリースワイヤ５が脱落するようなことはない。
請求項６に記載の本発明は、レリースワイヤ５の上端面及びＣ字リング７の下端面に、外側方向に向かって傾斜するテーパ面５４・７１をそれぞれ構成したことから、レリースワイヤ５を軸受け部６２に挿通するとレリースワイヤ５のテーパ面５４とＣ字リング７のテーパ面７１が当接する事により、Ｃ字リング７が当接面に合わせて拡径し、簡単にレリースワイヤ５を軸受け部６２内に挿通させることが出来る。従って、レリースワイヤ５の端部を軸受け部６２内に挿通するのみで両者の接続が完了するため、施工時の狭い浴槽１内での作業でも容易に取り付けることができる。
請求項７に記載の本発明は、拡径防止翼７３は、支承部６４の下方に配置されて、上面視は支承部６４によって遮蔽される位置に配置したから、上面視の排水口２の排水開口面積を拡径防止翼７３により小さくすることなく、支承部６４により遮蔽された箇所に配置しているから、拡径防止翼７３により排水開口面積を小さくすることがなくなった。従って、拡径防止翼７３により排水流量が悪化するようなことはない。
また、拡径防止翼７３を支承部６４の下方に配置して、上面視は支承部６４によって遮蔽される位置に配置したことから、槽体１内の排水を排水時に、勢いが強い排水が発生しても拡径防止翼７３に排水が衝突することがないので、勢いが強い排水が衝突することによるＣ字リング７の脱落を防止することが出来る。
請求項８に記載の本発明は、Ｃ字リング７の切り欠き部分７２の差し込み方向を位置決めする位置決め部６４ａを、前記支承部６４の下端から下方に向かって伸びる板体として構成したことから、Ｃ字リング７の切り欠き部分７２を軸受け部６２に対し適正でない方向に差し込んでも差し込まれないようにし、適正な方向にしか差し込まれないようになった。このことにより、工場、現場においてＣ字リング７を誤って取り付けるようなことが発生しなくなるので、レリースワイヤ５の脱落等が発生しなくなった。
請求項９に記載の本発明は、リング体６１の下端もしくは支承部６４の下端に高低差を付けた段差を設けて回り止め部６４ｂを構成し、当該回り止め部６４ｂに拡径防止翼７３が当接することにより、各Ｃ字リング７が取付後にそれ以上回転しないよう構成したことから、槽体１内の排水を排水時に、勢いが強い排水が発生しても拡径防止翼７３に排水が衝突することがないので、勢いが強い排水が衝突することによるＣ字リング７の脱落を防止することが出来る。
【図面の簡単な説明】
【００２８】
【図１】（Ａ）本発明の第１実施例を示す断面図である。（Ｂ）本発明の第１実施例のワイヤー受け部の上面図である。（Ｃ）本発明の第１実施例を示す斜視図である。
【図２】（Ａ）（Ｂ）本発明の第１実施例の施工手順を表す一部切り欠き斜視図である。
【図３】（Ａ）本発明の第２実施例を示す断面図である。（Ｂ）本発明の第２実施例のワイヤー受け部の側面図である。（Ｃ）本発明の第２実施例を示す斜視図である。
【図４】（Ａ）（Ｂ）（Ｃ）本発明の第２実施例の施工手順を表す一部切り欠き斜視図である。
【図５】（Ａ）本発明の第３実施例を示す断面図である。（Ｂ）本発明の第３実施例のワイヤー受け部の斜視図である。（Ｃ）本発明の第３実施例を示す、下方からの斜視図である。
【図６】（Ａ）（Ｂ）（Ｃ）本発明の第３実施例の施工手順を表す一部切り欠き斜視図である。
【図７】（Ａ）（Ｂ）本発明の第３実施例の、排水口にワイヤー受け部を取り付けた際の斜視図である。
【図８】（Ａ）（Ｂ）本発明の第３実施例の、排水口にワイヤー受け部を取り付けた際の一部切り欠き斜視図である。
【図９】（Ａ）本発明の第３実施例のワイヤー受けについて、図１０におけるＡ−Ａ’断面図である。（Ｂ）本発明の第３実施例のワイヤー受けについて、図１０におけるＢ−Ｂ’断面図である。（Ｃ）本発明の第３実施例のワイヤー受けについて、図１０におけるＨ−Ｈ’断面図である。
【図１０】（Ａ）本発明の第３実施例のワイヤー受けの上面図である。（Ｂ）本発明の第３実施例のワイヤー受けの底面図である。
【図１１】（Ａ）本発明の第３実施例のＣ字リングの上面図である。（Ｂ）本発明の第３実施例のＣ字リングの底面図である。
【図１２】（Ａ）本発明の第３実施例のＣ字リングについて、図１１におけるＢ−Ｂ’断面図である。（Ｂ）本発明の第３実施例のＣ字リングについて、図１１におけるＡ−Ａ’断面図である。
【図１３】（Ａ）本発明の第３実施例の施工状態（弁体が閉口時）を示す断面図である。（Ｂ）本発明の第３実施例の施工状態（弁体が開口時）を示す断面図である。
【図１４】従来例を示す斜視図である。
【図１５】従来例を示す断面図及び斜視図である。
【図１６】従来例を示す斜視図である。
【図１７】従来例を示す斜視図及び側面図である。
【発明を実施するための形態】
【実施例】
【００２９】
以下、実施例として図１及び図２に記載の遠隔操作式排水栓装置について説明する。この実施例の遠隔操作式排水栓装置は、浴室の浴槽１に施工取り付けされ、槽体１としての浴槽１、排水口２、弁体３、操作部４、レリースワイヤ５、ワイヤー受け部６、から構成される。
本実施例の遠隔操作式排水栓装置は、前記従来例段落０００３と同様の浴室の浴槽１に施工取り付けされ、浴槽１、排水口２、弁体３、操作部４、は前記従来例と同様の構成のため省略する。
レリースワイヤ５は、金属線の圧縮スプリング形状のインナーワイヤ５１と、インナーワイヤ５１を内部に進退自在に収納する四フッ化エチレンからなるアウターチューブ５２と、常にインナーワイヤ５１を操作部４側に進行した状態にて付勢する戻りスプリングから構成される。また、レリースワイヤ５の一端は操作部４に接続され、他端は排水口２内部に配置接続される。インナーワイヤ５１の排水口２側端部は、弁体３の上下動用ロッド部５５が構成されて、弁体３の裏面に脱着自在に接続して構成される。また、アウターチューブ５２の排水口２側端部には合成樹脂製の係合部５３が構成されており、本実施例においては、係合部５３として軸受け部６２の係合爪６３ｂと係合する係合凹部５３ａを構成している。
ワイヤー受け部６は、図１（Ｂ）及び図１（Ｃ）に示すように、リング体６１、軸受け部６２、支承部６４、取付部、から構成され、レリースワイヤ５を排水口２内中心部に配置する部材である。
リング体６１は、排水口２の排水栓２１内周面に沿うように構成される環状の部材である。
軸受け部６２は、レリースワイヤ５を排水栓２１中心部に配置させる部材であり、内部に上下貫通するレリースワイヤ５を収納する空間を有し、その下端にはレリースワイヤ５を挿通する挿通孔６６を開口する。また、軸受け部６２には、レリースワイヤ５の係合部５３と係合する被係合部６３としての切り欠き状のスリット６３ａ及び軸受け部６２内周面に構成された係合爪６３ｂが構成されており、係合爪６３ｂは、レリースワイヤ５の係合凹部５３ａと係合するようになっている。
支承部６４は、図１（Ｂ）に示すように、軸受け部６２をリング体６１に支承するための構成要素であり、上面視リング体６１内周から中心方向に向かって延出し、リング体６１中心部分に軸受け部６２を配置・支承するアーム態様のものである。
取付部は、ワイヤー受け部６を排水栓２１内部に脱着自在に取り付けるための係合部分であって、リング体６１から下方に向かって延出する脚体である。尚、この取付部は前記した排水栓２１内周部の係合用のリブに強固に係合することで取り付けることが出来る。
【００３０】
上記した実施例の遠隔操作式排水栓装置は以下のように施工される。
浴槽１には工場・現場にて浴槽１の上縁部に予め操作部４を取り付けている。その後、現場にて浴槽１の排水口２に排水栓２１を取付け、操作部４と排水口２を内部が中空のチューブ管８等で連結し、浴槽１の排水口２と下水管を接続する。そして、操作部４からチューブ管８を介してレリースワイヤ５を挿通し、レリースワイヤ５を排水口２側まで挿通させる。浴槽１の表側の排水口２からレリースワイヤ５の端部をペンチ等で引き出し、浴槽１側からワイヤー受け部６の軸受け部６２の挿通孔６６に図２（Ａ）に示したようにレリースワイヤ５の端部を挿通させる。そして、レリースワイヤ５の係合凹部５３ａに、軸受け部６２内周の係合爪６３ｂを係合させると、図２（Ｂ）に示したように、レリースワイヤ５の端部とワイヤー受け部６の軸受け部６２の取付は終了する。このとき、軸受け部６２にはスリット６３ａが構成されているので、軸受け部６２内にレリースワイヤ５を係合させる際に、弾性により拡径させることができる。従ってレリースワイヤ５の係合凹部５３ａに係合爪６３ｂを係合させることが容易となった。その後、ワイヤー受け部６を排水栓２１内部に挿入し、ワイヤー受け部６の取付部を排水栓２１内の係合用のリブに係合させることによりワイヤー受け部６は排水栓２１内部に取り付けることができ、結果的にレリースワイヤ５が排水栓２１内部の中央に配置することが出来る。そして、弁体３を排水栓２１の中央部に配置されたレリースワイヤ５のロッド部５５に脱着自在に取り付けることにより、遠隔操作式排水栓装置の施工は終了する。
【００３１】
上記した実施例の遠隔操作式排水栓装置は、前記従来例の段落０００５と同様に作動し、排水される。
【００３２】
以下、第２実施例として図３及び図４に記載の遠隔操作式排水栓装置について説明する。この実施例の遠隔操作式排水栓装置は、浴室の浴槽１に施工取り付けされ、槽体１としての浴槽１、排水口２、弁体３、操作部４、レリースワイヤ５、ワイヤー受け部６、から構成される。
本実施例の遠隔操作式排水栓装置は、前記従来例段落０００３と同様の浴室の浴槽１に施工取り付けされ、浴槽１、排水口２、弁体３、操作部４、は前記従来例と同様の構成のため省略する。
レリースワイヤ５は、金属線の圧縮スプリング形状のインナーワイヤ５１と、インナーワイヤ５１を内部に進退自在に収納する四フッ化エチレンからなるアウターチューブ５２と、常にインナーワイヤ５１を操作部４側に進行した状態にて付勢する戻りスプリングから構成される。また、レリースワイヤ５の一端は操作部４に接続され、他端は排水口２内部に配置接続される。インナーワイヤ５１の排水口２側端部は、弁体３の上下動用ロッド部５５が構成されて、弁体３の裏面に脱着自在に接続して構成される。また、アウターチューブ５２の排水口２側端部には、その外周に、係合部５３としての条溝状の係合凹部５３ａが構成され、上端面には外周から内周方向に向かって縮径する方向に形成されたテーパ面５４を構成している。
ワイヤー受け部６は、図３（Ｂ）及び図３（Ｃ）に示したように、リング体６１、軸受け部６２、支承部６４、取付部、Ｃ字リング７、から構成され、レリースワイヤ５を排水口２内中心部に配置する部材である。
リング体６１は、排水口２の排水栓２１内周面に沿うように構成される環状の部材である。
軸受け部６２は、レリースワイヤ５を排水栓２１中心部に配置させる部材であり、内部に上下貫通するレリースワイヤ５端部を収納する空間を有し、その下端にはレリースワイヤ５を挿通する挿通孔６６を開口する。また、軸受け部６２には、Ｃ字リング７がスライド自在に収納される、被係合部６３としての切り溝部６３ｃを構成して成る。
Ｃ字リング７は、上面視Ｃ字形状であり、レリースワイヤ５の排水口２側端部を内部に嵌めるための切り欠き部分７２を有した被係合部６３としての断面視Ｃの字状リング体である。Ｃ字リング７は、軸受け部６２の切り溝部６３ｃにスライド自在に収納され、Ｃ字リング７と切り溝部６３ｃは協同して被係合部６３を構成する。また、Ｃ字リング７の下端面には、レリースワイヤ５の上端面に構成されたテーパ面５４に合致するように、外周から内周方向に向かって縮径するように傾斜するテーパ面７１を構成して成る。このテーパ面７１は、レリースワイヤ５の係合部５３が軸受け部６２内に下方から挿入された際、レリースワイヤ５のテーパ面５４がＣ字リング７のテーパ面７１に当接し、そのまま挿入を進めるとＣ字リング７がそのテーパ面５４に沿うように滑らかに滑動して側面方向に拡径することができるものである。
支承部６４は、軸受け部６２をリング体６１に支承するための構成であり、上面視リング体６１内周から中心方向に向かって延出し、リング体６１中心部分に軸受け部６２を配置・支承するアーム態様のものである。
取付部は、ワイヤー受け部６を排水栓２１内部に脱着自在に取り付けるための係合部分であって、リング体６１から下方に向かって延出する脚体である。尚、この取付部は前記した排水栓２１内周部の係合用のリブに強固に係合することで取り付けることが出来る。
【００３３】
上記した実施例の遠隔操作式排水栓装置は以下のように施工される。
浴槽１には工場・現場にて浴槽１の上縁部に予め操作部４を取り付けている。また、図４（Ｂ）に示したように、軸受け部６２の切り溝部６３ｃにも予めＣ字リング７を収納、スライド配置しておく。これらは予めセットされているので施工現場で紛失する虞はない。その後、現場にて浴槽１の排水口２に排水栓２１を取付け、操作部４と排水口２を内部が中空のチューブ管８等で連結し、浴槽１の排水口２と下水管を接続する。そして、操作部４からチューブ管８を介してレリースワイヤ５を挿通し、レリースワイヤ５を排水口２側まで挿通させる。浴槽１の表側の排水口２から、レリースワイヤ５の端部をペンチ等で引き出し、ワイヤー受け部６の軸受け部６２の挿通孔６６にレリースワイヤ５の端部を挿入させる。そうすると、レリースワイヤ５のテーパ面５４が軸受け部６２の切り溝部６３ｃに配置されているＣ字リング７のテーパ面７１に当接し、そのままレリースワイヤ５を挿入し続けると、レリースワイヤ５のテーパ面５４とＣ字リング７のテーパ面７１が当接摺動し、Ｃ字リング７が側面方向に拡径する。Ｃ字リング７の側面は切り欠き部分７２により開放されているから、円滑に側面に拡径することができる。こうしてＣ字リング７が拡径する事でレリースワイヤ５の係合凹部５３ａがＣ字リング７を通過し、Ｃ字リング７は係合凹部５３ａを通過後、自身の弾性により原型に縮径することとなる。そうすると、図４（Ｃ）に示したように、原型に縮径したＣ字リング７は係合凹部５３ａに対し係止する為、ストッパーの役目を果たし、結果的にはレリースワイヤ５を軸受け部６２から抜け止めできるようになり、レリースワイヤ５は軸受け部６２に接続することができる。その後ワイヤー受け部６は排水栓２１内部に取り付けられ、結果的にレリースワイヤ５の端部が排水栓２１内部の中央に配置することが出来る。そして、弁体３を排水栓２１の中央部に配置されたレリースワイヤ５のロッド部５５に脱着自在に取り付けることにより、遠隔操作式排水栓装置の施工は終了する。
【００３４】
上記した実施例の遠隔操作式排水栓装置は、前記従来例の段落０００５と同様に作動し、排水される。
【００３５】
以下、第３実施例として図５乃至図１３に記載の遠隔操作式排水栓装置について説明する。この実施例の遠隔操作式排水栓装置は、浴室の浴槽１に施工取り付けされ、槽体１としての浴槽１、排水口２、弁体３、操作部４、レリースワイヤ５、ワイヤー受け部６、から構成される。
本実施例の遠隔操作式排水栓装置は、前記従来例段落０００３と同様の浴室の浴槽１に施工取り付けされ、浴槽１、排水口２、弁体３、操作部４、は前記従来例と同様の構成のため省略する。
レリースワイヤ５は、金属線の圧縮スプリング形状のインナーワイヤ５１と、インナーワイヤ５１を内部に進退自在に収納する四フッ化エチレンからなるアウターチューブ５２と、常にインナーワイヤ５１を操作部４側に進行した状態にて付勢する戻りスプリングから構成される。また、レリースワイヤ５の一端は操作部４に接続され、他端は排水口２内部に配置接続される。インナーワイヤ５１の排水口２側端部は、弁体３の上下動用ロッド部５５が構成されて、弁体３の裏面に脱着自在に接続して構成される。また、アウターチューブ５２の排水口２側端部の外周には、合成樹脂から成る外側方向に突出して構成された係合部５３としての条溝状の係合凹部５３ａを構成するとともに、上端面には外周部分から内周方向に向かって縮径する方向に形成されたテーパ面５４を構成している。
ワイヤー受け部６は、図５（Ｂ）及び図５（Ｃ）、図９及び図１０に示したように、リング体６１、軸受け部６２、支承部６４、取付部、Ｃ字リング７、位置決め部６４ａ、回り止め部６４ｂ、から構成され、レリースワイヤ５を排水口２内中心部に配置する部材である。
リング体６１は、排水口２の排水栓２１内周面に沿うように構成される環状の部材である。
軸受け部６２は、レリースワイヤ５を排水栓２１中心部に配置させる部材であり、内部に上下貫通するレリースワイヤ５を収納する空間を有し、その下端にはレリースワイヤ５を挿通する挿通孔６６を開口する。また、軸受け部６２の下端には、前記Ｃ字リング７がスライド自在に嵌合される、被係合部６３としての鍔部６３ｄが外側方向に向かって突出するように構成されている。
位置決め部６４ａは、図７（Ｂ）及び図９（Ｂ）等に示すように、支承部６４の下端から下方に向かって伸びる板体であって、Ｃ字リング７の切り欠き部分７２の差し込み方向を位置決めする部材である。これは、Ｃ字リング７の軸受け部６２に対する差し込み方向を位置決めするものであり、適正でない方向に差し込んでも、Ｃ字リング７が位置決め部６４ａの板体が邪魔することでＣ字リング７が軸受け部６２に配置セットされないようになっている。Ｃ字リング７を適正な方向に差し込むと、Ｃ字リング７は適正にセットされる。
回り止め部６４ｂは、図８及び図１０（Ｂ）等に示すように、支承部６４の下端に高低差を付けた段差を設けて回り止め部６４ｂを構成し、当該回り止め部６４ｂに拡径防止翼７３が当接することにより、各Ｃ字リング７が取付後にそれ以上回転しないようにする部材である。拡径防止翼７３には、より回り止め部６４ｂに当接しやすいように、回り止め部６４ｂに当接する部分のみ上方に向けて突出する構成としてもよい。
なお、この回り止め部６４ｂが構成されたことにより、拡径防止翼７３が支承部６４の下方に配置されて、ワイヤー受け部６の上面視の際、拡径防止翼７３は支承部６４により遮蔽される位置に配置される。このように配置されるため、排水口２内部に排水を排水した際、排水面積を従来と同等とすることができ、拡径防止翼７３によって排水流量が悪化するようなことはない。
Ｃ字リング７は、図１１及び図１２に示したように、上面視Ｃ字形状であり、レリースワイヤ５の排水口２側端部を内部に嵌めるための切り欠き部分７２を備えた被係合部６３としてのリング体である。Ｃ字リング７は、軸受け部６２の鍔部６３ｄを上下方向から覆うように断面視Ｃの字状に構成されて、鍔部６３ｄにスライド自在に嵌合する。またＣ字リング７と軸受け部６２の鍔部６３ｄは協同して被係合部６３を構成する。また、Ｃ字リング７の下端面には、レリースワイヤ５端部の上端面に構成されたテーパ面５４に合致するように、外周から内周方向に向かって縮径するように傾斜するテーパ面７１を構成して成る。このテーパ面７１は、レリースワイヤ５の端部が軸受け部６２に挿入される際、レリースワイヤ５のテーパ面５４がＣ字リング７のテーパ面７１に当接し、そのまま挿入を進めるとＣ字リング７がそのテーパ面５４に沿うように滑らかに滑動して側面方向に拡径することができるものである。また、Ｃ字リング７の外周面には、図１１及び図１２に示すように、外側方向に向かって翼状に延出して構成される、拡径防止翼７３を構成する。この拡径防止翼７３は、図７及び図８に示すように、ワイヤー受け部６が排水口２内部にセットされた際に、拡径防止翼７３が排水口２内周面に当接することによりＣ字リング７の拡径を防止する効果を備える。また、拡径防止翼７３は、支承部６４の下方に配置されることにより、排水口２を上面視したとき、支承部６４によって遮蔽される位置に配置されるよう位置決めされる。
支承部６４は、軸受け部６２をリング体６１に支承するための構成要素であり、上面視リング体６１内周から中心方向に向かって延出し、リング体６１中心部分に軸受け部６２を配置・支承するアーム態様のものである。
取付部は、ワイヤー受け部６を排水栓２１内部に脱着自在に取り付けるための係合部分であって、リング体６１から下方に向かって延出する脚体である。尚、この取付部は前記した排水栓２１内周部の係合用のリブに強固に係合することで取り付けることが出来る。
【００３６】
上記した実施例の遠隔操作式排水栓装置は以下のように施工される。
浴槽１には工場・現場にて浴槽１の上縁部に予め操作部４を取り付けている。また、図６（Ｂ）に示すように、ワイヤー受け部６の鍔部６３ｄに、鍔部６３ｄを覆うように予めＣ字リング７をスライド嵌合しておく。予めＣ字リング７が軸受け部６２に配置されているので、施工現場でＣ字リング７が紛失する虞はない。その後、現場にて浴槽１の排水口２に排水栓２１を取付け、操作部４と排水口２を内部が中空のチューブ管８等で連結し、浴槽１の排水口２と下水管を接続する。そして、操作部４からチューブ管８を介してレリースワイヤ５を挿通し、レリースワイヤ５を排水口２側まで挿通させる。浴槽１の表側の排水口２から、レリースワイヤ５の端部をペンチ等で引き出し、浴槽１側からワイヤー受け部６の軸受け部６２の挿通孔６６にレリースワイヤ５の端部を挿入させる。そうすると、レリースワイヤ５のテーパ面５４が、軸受け部６２に取り付けられているＣ字リング７のテーパ面７１に当接し、そのままレリースワイヤ５を挿入し続けると、レリースワイヤ５のテーパ面５４とＣ字リング７のテーパ面７１が摺動当接し、Ｃ字リング７のテーパ面７１が側面方向に拡径する。Ｃ字リング７の側面は切り欠き部分７２により開放されているから、円滑に側面に拡径することができる。こうしてＣ字リング７が拡径する事でレリースワイヤ５の係合凹部５３ａがＣ字リング７を通過し、Ｃ字リング７は係合凹部５３ａを通過後、自身の弾性により原型に縮径することとなる。そうすると、図６（Ｃ）に示すように、原型に縮径したＣ字リング７は係合凹部５３ａに係合してストッパーの役目を果たし、結果的にはレリースワイヤ５を軸受け部６２から抜け止めできるようになり、レリースワイヤ５を軸受け部６２に接続することができる。ワイヤー受け部６は排水栓２１内部に取り付けられ、結果的にレリースワイヤ５の端部が排水栓２１内部の中央に配置することが出来る。そして、弁体３を排水口２の中心に配置されたレリースワイヤ５のロッド部５５に脱着自在に取り付けることにより、遠隔操作式排水栓装置の施工は終了する。
【００３７】
上記した実施例の遠隔操作式排水栓装置は、前記従来例の段落０００５（及び図１３参照）と同様に作動し、排水される。
【００３８】
本発明の実施例は上記のようであるが、本発明は上記実施例に限定されることなく、発明の要旨を逸脱することない範囲において、自在に変更することができる。
例えば、上記実施例ではＣ字リング７に拡径防止翼７３を構成しているが、構成しなくてもかまわない。
また、上記実施例ではレリースワイヤ５の保持機構部を操作部側に備えているが、配置個所については特に限定しない。
【符号の説明】
【００３９】
１      槽体（浴槽）
２      排水口
２１    排水栓
３      弁体
４      操作部
５      レリースワイヤ
５１    インナーワイヤ
５２    アウターチューブ
５３    係合部
５３ａ  係合凹部
５４    テーパ面
５５    ロッド部
６      ワイヤー受け部
６１    リング体
６２    軸受け部
６３    被係合部
６３ａ  スリット
６３ｂ  係合爪
６３ｃ  切り溝部
６３ｄ  鍔部
６４    支承部
６４ａ  位置決め部
６４ｂ  回り止め部
６５    取付部
６６    挿通孔
７      Ｃ字リング
７１    テーパ面
７２    切り欠き部分
７３    拡径防止翼
８      チューブ管
【図１】
2010189866.tif 000003
【図２】
2010189866.tif 000004
【図３】
2010189866.tif 000005
【図４】
2010189866.tif 000006
【図５】
2010189866.tif 000007
【図６】
2010189866.tif 000008
【図７】
2010189866.tif 000009
【図８】
2010189866.tif 000010
【図９】
2010189866.tif 000011
【図１０】
2010189866.tif 000012
【図１１】
2010189866.tif 000013
【図１２】
2010189866.tif 000014
【図１３】
2010189866.tif 000015
【図１４】
2010189866.tif 000016
【図１５】
2010189866.tif 000017
【図１６】
2010189866.tif 000018
【図１７】
2010189866.tif 000019